(57)【要約】【目的】輪ゴムを本体に常に取り付けておき、袋の開封部を開封する際にも輪ゴムが本体から離れることのないようにした輪ゴム緊縛具を提供する。【解決手段】板状本体１の片面側一端部にはその左右対向端部の一方に、輪ゴム引っ掛け用の突起部３を突設し、他方の端部に輪ゴム取付孔４を有する突片５を突設すると共に、突片５には輪ゴム２の径より小さい溝幅を有する輪ゴム挿脱用の切欠溝を輪ゴム取付孔４に形成し、切欠溝６から輪ゴム２を輪ゴム取付孔４に差し込んで取り付けた輪ゴム緊縛具であって、袋７の開封部７ａを絞って板状本体１を当て付け、絞り部分７ｏに輪ゴム２を複数回巻き付けることにより絞り部分７ｏを緊縛して輪ゴム２の先端部２ａを突起部３に引っ掛けるようにしたものである。【選択図】        図３
2004331152.tif 000002
【特許請求の範囲】
【請求項１】
板状本体の片面側一端部にはその左右対向端部の一方に、輪ゴム引っ掛け用の突起部を突設し、他方の端部に輪ゴム取付孔を有する突片を突設すると共に、この突片には輪ゴムの径よりも小さい溝幅を有する輪ゴム挿脱用の切欠溝を輪ゴム取付孔に開通するように形成し、この切欠溝より輪ゴムを輪ゴム取付孔に差し込んで取り付けた輪ゴム緊縛具であって、袋の開封部を絞って板状本体を当て付け、その絞り部分に前記輪ゴムを複数回巻き付けることにより絞り部分を緊縛してその輪ゴムの先端部を前記突起部に引っ掛けるようにする輪ゴム緊縛具。
【請求項２】
前記板状本体に動物や人形等の装飾部材を設けてなる請求項１に記載の輪ゴム緊縛具。
【請求項３】
輪ゴム引っ掛け用の突起部に輪ゴムを掛止する切欠部を設けてなる請求項１又は２に記載の輪ゴム緊縛具。
【発明の詳細な説明】
【０００１】
【発明の属する技術分野】
本発明は、例えば菓子や調味料あるいは食べ残しの食料品等を再び袋に納め、その開封部を輪ゴムで緊縛して、食料品等の劣化や吸湿を防止する、輪ゴムの使用による輪ゴム緊縛具に関する。
【０００２】
【従来の技術】
従来の輪ゴム緊縛具としては、例えば下記の特許文献１に記載されているようなものがある。これは、把持部から分岐する対向片に輪ゴムを取り付けてなる密封具で、開封袋にこの輪ゴムを巻き、その先端を対向片に取り付けて封止し、開封する際に把持部を引き抜くことで輪ゴムを開放するようにしたものである。
【０００３】
【特許文献１】
特開２００２−３７３４６号公報（第１〜２頁、図１及び図２）。
【０００４】
【発明が解決しようとする課題】
上記従来の密封具は、使用の際に輪ゴムを分岐対向片の何れか一方側に単に引っ掛けるだけの状態とし、この輪ゴムを開封袋に巻き付け、その先端を分岐対向片の他方に引っ掛けて封止するようになっているので、開封する際に把持部を引き抜くと、輪ゴムが対向片から離れて飛んでしまって紛失したり、汚れたりし、輪ゴムを再使用できなくなることがあった。
【０００５】
本発明は、輪ゴムを本体に常に取り付けておいて、袋の開封部を開封する際にも輪ゴムが本体から離れることなく、付いたままの状態にしておけるようにした輪ゴム緊縛具を提供することを目的とする。
【０００６】
【課題を解決するための手段】
請求項１に係る発明は、板状本体１の片面側一端部にはその左右対向端部の一方に、輪ゴム引っ掛け用の突起部３を突設し、他方の端部に輪ゴム取付孔４を有する突片５を突設すると共に、この突片５には輪ゴム２の径ｄよりも小さい溝幅ｗを有する輪ゴム挿脱用の切欠溝６を輪ゴム取付孔４に開通するように形成し、この切欠溝６より輪ゴム２を輪ゴム取付孔４に差し込んで取り付けた輪ゴム緊縛具であって、袋７の開封部７ａを絞って板状本体１を当て付け、その絞り部分７ｏに前記輪ゴム２を複数回巻き付けることにより絞り部分７ｏを緊縛してその輪ゴム２の先端部２ａを前記突起部３に引っ掛けるようにすることを特徴としている。
【０００７】
請求項２は、請求項１に記載の輪ゴム緊縛具において、前記板状本体１に動物や人形等の装飾部材８を設けてなることを特徴とする。
【０００８】
請求項３は、請求項１又は２に記載の輪ゴム緊縛具において、前記輪ゴム引っ掛け用の突起部３に輪ゴムを掛止する切欠部３ａを設けてなることを特徴とする。
【０００９】
【発明の実施の形態】
図１は本発明に係る輪ゴム緊縛具を示す斜視図、図２は輪ゴムを板状本体に取り付けようとしている状態を示す説明図である。この輪ゴム緊縛具は、プラスチックで一体成形された板状本体１と、この板状本体１に取り付けられた輪ゴム２とからなる。板状本体１の片面側一端部にはその左右対向端部の一方の端部に、輪ゴム引っ掛け用の突起部３が板状本体１の板面に対し垂直に突設され、この突起部３に対向する他方の端部には、板状本体１の長手方向に開口された輪ゴム取付孔４を有する突片５が板状本体１の板面に対し垂直に突設されている。輪ゴム取付孔４の内径は輪ゴム２の直径ｄより大きい。
【００１０】
上記突片５には、図２に示すように、輪ゴム２の直径ｄよりも小さい溝幅ｗを有する輪ゴム挿脱用の切欠溝６が輪ゴム取付孔４に開通するように形成されている。従って、輪ゴム２を突片５の輪ゴム取付孔４に取り付ける時には、輪ゴム２の一部２ａを図２に示すように引っ張って径細にした状態で、この径細部分２ａを上記の切欠溝６に差し込んで輪ゴム取付孔４に挿入するようにすればよいし、また一旦輪ゴム取付孔４に挿入した輪ゴム２を取り外し時は、同様に引っ張って径細にした状態で上記切欠溝６から抜き出せばよい。
【００１１】
この輪ゴム緊縛具の使用方法について説明すると、例えば食料品が封入されたポリエチレン製等の密封袋７を開封して中身の一部を取り出した後、その袋７の開封部７ａを封止する場合、あるいは食べ残しの食料品を袋７に納める場合に、図３の（Ａ）に示すように、開封部７ａを絞って、その絞り部分７ｏに板状本体１の一端部がほぼ位置するように板状本体１を縦長に当て付け、この状態から、突片５の輪ゴム取付孔４に取り付けてある輪ゴム２を、突起部３から離れる側へ引っ張りながら同図の矢印Ｈで示す方向へ巻き回して絞り部分７ｏに２〜３回巻き付けることにより、絞り部分７ｏを緊縛し、その輪ゴム２の先端部２ａを突起部３に引っ掛ければよく、これによって開封部７ａの絞り部分７ｏを緊縛状態に固定することができる。こうして絞り部分７ｏが緊縛状態に固定された状態を図３の（Ｂ）、図４の（Ａ）及び図５の（Ａ）に示す。
【００１２】
図３の（Ｂ）、図４の（Ａ）及び図５の（Ａ）に示すように開封部７ａの絞り部分７ｏを緊縛固定した状態から、板状本体１の他端部（下端部）を掴んで、その一端部（上端部）を中心に上向きに、即ち図４の（Ａ）の矢印Ｖ方向へ図５の（Ｂ）及び（Ｃ）に示すように略々１８０°旋回すれば、輪ゴム２の先端部２ａが突起部３から外れて、図４の（Ｂ）に示すように輪ゴム２が絞り部分７ｏから開放される。この時、輪ゴム２は、輪ゴム取付孔４にあらかじめ取り付けられているので、板状本体１から離脱することはなく、輪ゴム取付孔４に取り付けられたままである。こうして輪ゴム２が開放された袋７の開封部７ａは、開いて中の食料品等を取り出せる状態となる。
【００１３】
そして、再びこの袋７の開封部７ａを封止する時は、前記のように開封部７ａを絞って板状本体１を当て付けた状態で、突片５に取り付けられている前記輪ゴム２を絞り部分７ｏに２〜３回巻き付けた後、その輪ゴム２の先端部２ａを突起部３に引っ掛ければよい。また、輪ゴム２が切れたり、傷んだりした時は、新しい輪ゴム２を切欠溝６より差し込んで簡単に輪ゴム取付孔４に付け替えることができる。
【００１４】
上述したような輪ゴム緊縛具によれば、袋７の開封部７ａを封止する時は、その開封部７ａを絞って板状本体１を当て付け、その絞り部分７ｏに輪ゴム２を複数回巻き付けた後、その輪ゴム２の先端部２ａを突起部３に引っ掛ければよく、そして開封部７ａを開く時には、板状本体１を他端部を掴んで、その一端部を中心に上向きに略々１８０°旋回すれば、輪ゴム２の先端部２ａが突起部３から外れて輪ゴム２が絞り部分７ｏから開放されるから、簡単容易に開封部７ａを開けることができ、しかもこの時、輪ゴム２は、あらかじめ輪ゴム取付孔４に差し込んで取り付けられているから、板状本体１から外れることがなく、その輪ゴム２を、切れたり傷んだりすることがない限り、そのまま使用できて非常に経済的である。
【００１５】
また、輪ゴム２が切れたり傷んだりして、取り替える必要がある時には、輪ゴム２の一部２ａを引っ張って径細にした状態で突片５の切欠溝６に差し込んで輪ゴム取付孔４に挿入すればよく、また輪ゴム取付孔４に挿入した輪ゴム２を取り外し時には、同様に引っ張って径細にした状態で切欠溝６から抜き出せばよいから、板状本体１の突片５に対する輪ゴム２の取付け、取り外しが非常に簡単容易となる。
【００１６】
図６の（Ａ）は板状本体１の表面側に例えば動物等の装飾部材８を取り付けた輪ゴム緊縛具を示す斜視図であり、（Ｂ）は同輪ゴム緊縛具の側面図である。装飾部材８としては、動物や人形のキャラクター玩具部材の他に、花等の自然物を象形した玩具部材でもよい。また、この装飾部材８は、プラスチックでもよいし、木や紙製のものでもよく、そして接着材によって取り付けるようにすればよい。
【００１７】
図７は、本発明の他の実施形態を示すもので、図７の（Ｂ）に示すように、プラスチックで形成した装飾本体８の裏面側を平坦面に形成して、これを板状本体１としたものであり、プラスチックによって装飾本体８と板状本体１とを一体成形したものである。又図７の（Ａ）に示すように、輪ゴム引っ掛け用の突起部３に切欠部３ａを形成し、これに輪ゴム２を掛止させるようにすれば、輪ゴム２が突起部３から不測に外れることはなく安定して使用することができる。
【００１８】
上記のように板状本体１に動物や人形等の装飾部材８を設けることによって、板状本体１に装飾機能を持たせ、輪ゴム緊縛具商品としての商品価値並びに使用価値を高めることができる。
【００１９】
【発明の効果】
請求項１に係る発明の輪ゴム緊縛具によれば、袋７を封止する時は、その開封部を絞って板状本体を当て付け、その絞り部分に輪ゴムを複数回巻き付けた後、その輪ゴムの先端部を突起部に引っ掛ければよいし、開封部を開ける時は、板状本体を他端部を掴んで、その一端部を中心に上向きに旋回すれば、輪ゴムの先端部が突起部から外れて輪ゴムが開放されるから、開封部を簡単容易に開けることができ、しかもこの時、輪ゴムは、輪ゴム取付孔に差し込んで取り付けてあるから、板状本体から外れることがなく、その輪ゴムが切れたり傷んだりすることがない限り、そのまま使用できて非常に経済的である。
【００２０】
また、輪ゴムが切れたり傷んだりして、取り替える必要がある時は、輪ゴムの一部を引っ張って径細にした状態で突片の切欠溝に差し込んで輪ゴム取付孔に挿入すればよく、また輪ゴム２を取り外す時は、同様に引っ張って径細にした状態で切欠溝から抜き出せばよいから、板状本体の突片に対する輪ゴムの取付け及び取り外しが非常に簡単容易となる。
【００２１】
請求項２に係る発明の輪ゴム緊縛具によれば、板状本体に動物や人形等の装飾部材を設けることにより、板状本体に装飾機能を持たせ、輪ゴム緊縛具商品としての商品価値並びに使用価値を高めることができる。
【００２２】
請求項３に係る発明の輪ゴム緊縛具によれば、プラスチックで形成した装飾本体の裏面側を平坦面に形成して、これを板状本体とし、プラスチックによって装飾本体と板状本体とを一体成形することによって安価に製作することができ、又、輪ゴム引っ掛け用の突起部に切欠部を形成し、これに輪ゴムを掛止させるようにすれば、輪ゴムが突起部から不測に外れることはなく安定して使用することができる。
【図面の簡単な説明】
【図１】本発明に係る輪ゴム緊縛具を示す斜視図である。
【図２】板状本体をその一端面側から見た端面図を示すと共に、輪ゴムを板状本体に取り付けようとしている状態を示す説明図である。
【図３】輪ゴム緊縛具の使用方法を示すもので、（Ａ）は板状本体を開封部の絞り部分に当て付けた状態の正面図、（Ｂ）は絞り部分に輪ゴムを巻き付け、その先端部を突起部に引っ掛けて緊縛した状態を示す正面図である。
【図４】（Ａ）は図３の（Ｂ）に示す状態での側面図であり、（Ｂ）は輪ゴムを開放した状態での側面図である。
【図５】（Ａ）は図３の（Ｂ）に示す状態での輪ゴム緊縛部分の横断面図であり、（Ｂ）及び（Ｃ）は板状本体を上向きに旋回して輪ゴムを開放しようとしている状態を示す側面図である。
【図６】（Ａ）は板状本体の表面側に装飾部材を取り付けた輪ゴム緊縛具を示す斜視図であり、（Ｂ）は同輪ゴム緊縛具の側面図である。
【図７】本発明の他の実施形態を示すもので、（Ａ）は板状本体の表面側に装飾部材を取り付けた輪ゴム緊縛具を示す斜視図であり、（Ｂ）は同輪ゴム緊縛具の側面図である。
【符号の説明】
１                板状本体
２                輪ゴム
３                輪ゴム引っ掛け用の突起部
３ａ              切欠部
４                輪ゴム取付孔
５                突片
６                切欠溝
７                袋
７ａ              開封部
７ｏ              開封部の絞り部分
８                装飾部材
【図１】
2004331152.tif 000003
【図２】
2004331152.tif 000004
【図３】
2004331152.tif 000005
【図４】
2004331152.tif 000006
【図５】
2004331152.tif 000007
【図６】
2004331152.tif 000008
【図７】
2004331152.tif 000009